(57)【要約】【課題】記入された情報とともに他の手段によって情報を伝達し、かつ、その情報を繰り返し伝達する。【解決手段】情報を記入するための情報記入領域１１を具備し、情報記入領域１１が設けられた面の全面に高分子素材が付与されてなる伝言ボード１において、シート状に構成され、音声情報の記録、再生が繰り返し可能な音声情報記録／再生部３０を内蔵する。【選択図】図１
2010036445.tif 000002
【特許請求の範囲】
【請求項１】
情報を記入するための情報記入領域を具備し、該情報記入領域が設けられた面の全面に高分子素材が付与されてなる伝言ボードにおいて、
シート状に構成され、音声情報の記録、再生が繰り返し可能な音声情報記録／再生手段が内蔵されたことを特徴とする伝言ボード。
【請求項２】
請求項１に記載の伝言ボードにおいて、
前記情報記入領域を具備する第１のシート部と、
前記音声情報記録／再生手段が内蔵され、一方の面に前記第１のシート部を着脱可能とし、前記一方の面の全面に前記高分子素材が付与された第２のシート部とを有する伝言ボード。
【請求項３】
請求項１に記載の伝言ボードにおいて、
前記情報記入領域を具備するとともに、前記音声情報記録／再生手段が内蔵された第１のシート部と、
一方の面に前記第１のシート部を着脱可能とし、前記一方の面の全面に前記高分子素材が付与された第２のシート部とを有する伝言ボード。
【発明の詳細な説明】
【技術分野】
【０００１】
本発明は、メッセージ等の情報を記入するための情報記入領域を有する伝言ボードに関し、特に、情報の伝達性向上の技術に関する。
【背景技術】
【０００２】
従来より、メッセージを伝達するための手段として伝言ボードが利用されている。伝言ボードは、メッセージを繰り返し記入可能とすることが要求されることから、以前は黒板に白墨でメッセージを記入し、黒板消しでメッセージを消去することが行われ、近年では、ペンを用いてメッセージを記入する、いわゆるホワイトボードといったものが利用されている。
【０００３】
ペンを用いてメッセージを記入する伝言ボードは、メッセージが記入されるボードの表面を加工することにより、ペンによってメッセージを記入した後、ボードのメッセージが記入された領域を擦ることによってメッセージを消去し、新たなメッセージを記入することができるようになる（例えば、特許文献１参照。）。このようなペンを用いて情報を記入する伝言ボードは、黒板と白墨を利用したものに対して、手等が汚れることなく、また、ペンといった一般的な筆記具に近いものを用いるためにメッセージを記入しやすいことから、ビジネスのみならず一般家庭等においても利用されている。
【特許文献１】特開２００３−３３５０９５号公報
【発明の開示】
【発明が解決しようとする課題】
【０００４】
しかしながら、上述したような伝言ボードにおいては、伝言ボードに記入したメッセージのみを用いて情報を伝達することになるため、情報が視覚的にしか伝達されず、それにより、伝達可能な情報の種類が限定されてしまい、情報が伝達されにくくなってしまう場合がある。例えば、小さな子供にメッセージを伝える場合、漢字がどの程度読めるかを考慮しながらメッセージを記入しなければならず、また、漢字が読めない小さな子供と大人とに同一のメッセージを伝える場合、メッセージを全て平仮名で記入することになり、大人にとってはメッセージが読みにくくなってしまうことになる。
【０００５】
本発明は、上述したような従来の技術が有する問題点に鑑みてなされたものであって、記入された情報とともに他の手段によって情報を伝達することができ、かつ、その情報を繰り返し伝達することができる伝言ボードを提供することを目的とする。
【課題を解決するための手段】
【０００６】
上記目的を達成するために本発明は、
情報を記入するための情報記入領域を具備し、該情報記入領域が設けられた面の全面に高分子素材が付与されてなる伝言ボードにおいて、
シート状に構成され、音声情報の記録、再生が繰り返し可能な音声情報記録／再生手段が内蔵されたことを特徴とする。
【０００７】
上記のように構成された本発明においては、情報を伝達する場合、擦ることによって消去可能なインクを用いて情報記入領域に情報を記入するとともに、音声情報記録／再生手段に情報を音声によって記録する。情報記入領域に記入された情報は視覚的に伝達され、音声情報記録／再生手段に記録された音声による情報は再生されることにより聴覚的に伝達されることになる。情報記入領域に記入された情報は、情報記入領域が設けられた面の全面に高分子素材が付与されていることから、布等を用いて情報記入領域を擦ると、情報記入領域に記入された情報が消去され、それにより、情報記入領域においては情報の書き換えが可能となる。また、音声情報記録／再生手段に記録された音声による情報は、音声情報記録／再生手段が音声情報の記録、再生が繰り返し可能であることから、消去され、新たな情報が記録可能となっている。
【０００８】
このように、情報が記入される情報記入領域が情報の書き換えが可能であるとともに、音声情報が記録、再生される音声情報記録／再生手段が音声情報の記録、再生が繰り返し可能であるため、記入された情報とともに音声によって情報を繰り返し伝達することができる。
【０００９】
また、情報記入領域を具備する第１のシート部と、音声情報記録／再生手段が内蔵され、一方の面に第１のシート部を着脱可能とし、一方の面の全面に高分子素材が付与された第２のシート部とを有する構成とすれば、第１のシート部が第２のシート部に装着された状態で伝言ボードとして利用され、その後、第１のシート部を第２のシート部から離脱させることにより、情報記入領域に記入された情報を、メモとして書き写すことなく、伝言ボードが設置された場所以外で確認することができる。
【００１０】
また、情報記入領域を具備するとともに、音声情報記録／再生手段が内蔵された第１のシート部と、一方の面に第１のシート部を着脱可能とし、一方の面の全面に高分子素材が付与された第２のシート部とを有する構成とすれば、第１のシート部が第２のシート部に装着された状態で伝言ボードとして利用され、その後、第１のシート部を第２のシート部から離脱させることにより、情報記入領域に記入された情報をメモとして書き写すことなく利用することができるとともに、音声情報記録／再生手段に記録された音声による情報を、伝言ボードが設置された場所以外で確認することができる。
【発明の効果】
【００１１】
以上説明したように本発明においては、情報を記入するための情報記入領域を具備し、情報記入領域が設けられた面の全面に高分子素材が付与されてなる伝言ボードにおいて、シート状に構成され、音声情報の記録、再生が繰り返し可能な音声情報記録／再生手段が内蔵された構成としたため、音声情報の記録、再生が繰り返し可能であるとともに、情報記入領域に対する情報の書き換えも可能となり、それにより、記入された情報とともに音声によって情報を伝達することができ、かつ、その情報を繰り返し伝達することができる。
【００１２】
また、情報記入領域を具備する第１のシート部と、音声情報記録／再生手段が内蔵され、一方の面に第１のシート部を着脱可能とし、一方の面の全面に高分子素材が付与された第２のシート部とを有するものにおいては、第１のシート部が第２のシート部に装着された状態で伝言ボードとして利用され、その後、第１のシート部を第２のシート部から離脱させることにより、情報記入領域に記入された情報を、メモとして書き写すことなく、伝言ボードが設置された場所以外で確認することができる。
【００１３】
また、情報記入領域を具備するとともに、音声情報記録／再生手段が内蔵された第１のシート部と、一方の面に第１のシート部を着脱可能とし、一方の面の全面に高分子素材が付与された第２のシート部とを有するものにおいては、第１のシート部が第２のシート部に装着された状態で伝言ボードとして利用され、その後、第１のシート部を第２のシート部から離脱させることにより、情報記入領域に記入された情報をメモとして書き写すことなく利用することができるとともに、音声情報記録／再生手段に記録された音声による情報を、伝言ボードが設置された場所以外で確認することができる。
【発明を実施するための最良の形態】
【００１４】
以下に、本発明の実施の形態について図面を参照して説明する。
【００１５】
（第１の実施の形態）
図１は、本発明の伝言ボードの第１の実施の形態を示す図であり、（ａ）は外観斜視図、（ｂ）は内部構造を示す図、（ｃ）は裏面から見た図、（ｄ）は（ａ）に示したＡ−Ａ’断面図である。また、図２は、図１に示した伝言ボード１のうち音声情報記録／再生部３０が内蔵された領域の積層状態を示す図である。
【００１６】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂが、その外形が支持シート２０ａ，２０ｂよりも大きく、紙基材等の柔軟性を有し、かつ薄型の基材からなる２枚の表面シート１０ａ，１０ｂに挟み込まれて構成されている。なお、表面シート１０ａ，１０ｂと支持シート２０ａ，２０ｂ、支持シート２０ａ，２０ｂと音声情報記録／再生部３０とは、支持シート２０ａ，２０ｂの表裏に施された粘着加工によってそれぞれ互いに接着されており、また、２枚の表面シート１０ａ，１０ｂは、周縁部に施された粘着加工によって互いに接着されている。また、表面シート１０ｂの延長した部分が折り畳まれて形成され、１面が開口した箱形状のマーカーケース１５が設けられている。このマーカーケース１５の長さは、表面シート１０ａ，１０ｂの幅よりも短くなっている。
【００１７】
音声情報記録／再生部３０は、ピエゾ素子４１、振動板４２及びフィルムシート（不図示）からシート状に構成されて音声情報を入出力するための音声情報入出力部４０と、音声情報入出力部４０を介して入力された音声情報が記録されるＩＣチップを具備するＩＣ基板３２と、ＩＣ基板３２に記録された音声情報を音声情報入出力部４０を介して出力する際に操作される薄型のスイッチ３３ａと、音声情報入出力部４０を介して入力された音声情報をＩＣ基板３２に記録する際に操作される薄型のスイッチ３３ｂと、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３ａ，３３ｂは、フィルム基板３４ａ，３４ｂ上に搭載され、このフィルム基板３４ａ，３４ｂ上に形成された配線パターン（不図示）とＩＣ基板３２とについても、はんだ溶接されたリード線を介して互いに電気的に接続されている。ＩＣ基板３２内のＩＣチップは、音声情報入出力部４０を介して入力された音声情報をメモリ領域に記録し、また、メモリ領域に記録された音声情報を音声情報入出力部４０を介して出力する制御を行うものであって、メモリ領域に音声情報が記録されている状態で、音声情報入出力部４０を介して音声情報が入力されると、その音声情報を上書きするようにメモリ領域に書き込むことにより、音声情報の記録、再生を繰り返し可能としている。
【００１８】
表面シート１０ａには、スイッチ３３ａと対向する領域に、スイッチ３３ａを示す再生ボタン１４ａが印刷され、また、スイッチ３３ｂと対向する領域に、スイッチ３３ｂを示す録音ボタン１４ｂが印刷されている。また、メッセージを記入するための情報記入領域１１が設けられているとともに、写真を嵌め込むための２つの切り込み１２が形成されている。なお、この切り込み１２によって写真が嵌め込まれる領域は、音声情報記録／再生部３０に対向しない領域となっている。これは、切り込み１２に写真が嵌め込まれると、その領域の積層構造が写真が嵌め込まれた側が音声情報記録／再生部３０から見て写真の分だけ１層増えてしまうため、その領域に音声情報記録／再生部３０が配置されていると、音声情報記録／再生部３０から出力された音声情報が聞こえにくくなってしまったり、音声情報記録／再生部３０に入力される音声情報の大きさが小さくなってしまうためである。
【００１９】
表面シート１０ｂには、音声情報入出力部４０と対向する領域に、音声情報入出力部４０を介して音声を入力したり、音声情報入出力部４０から出力された音声を外部に出力したりするための複数のスリット１６が形成されている。これら複数のスリット１６は、例えば、１８ｍｍの長さのスリット１６を２ｍｍの間隔で直列に３本並べたものを複数列形成することが考えられる。このように複数のスリット１６が形成されているため、音声情報入出力部４０がその表裏を表面シート１０ａ，１０ｂで覆われた状態であっても、音声情報入出力部４０から出力される音量の低下を補うことができる。なお、音声情報入出力部４０から出力される音量の低下を補うためには、スリット１６に限らないが、製造工程において抜き型を使用する場合、音量確保、外観、横手方向からの外力に対する耐久性に優れている点からスリット１６を採用することが好ましい。
【００２０】
上述した２枚の表面シート１０ａ，１０ｂは、折り部を介して連接した１枚のシートからなり、折り畳まれた際に表出した面の全面が、高分子素材であるポリプロピレン樹脂によってコーティングされている。それにより、表面シート１０ａの情報記入領域１１が設けられた面の全面が、ポリプロピレン樹脂によってコーティングされていることになる。なお、表面シート１０ａ，１０ｂをコーティングする材料は、ポリプロピレン樹脂に限らず、耐衝撃性ポリスチレン樹脂、スチレン−アクリロニトリル共重合体樹脂、スチレン−アクリロニトリル−ブタジエン共重合体樹脂、ポリスチレン樹脂、高密度ポリエチレン樹脂、ポリエチレンテレフタレート樹脂、ポリブチレンテレフタレート樹脂、ポリカーボネート樹脂、ポリ塩化ビニール樹脂あるいは、それらの変性樹脂等や、その他樹脂等といった高分子素材を適時用いることができる。また、これら高分子素材の表面シート１０ａ，１０ｂへのコーティング方法は、上記高分子素材からなるフィルムを表面シート１０ａ，１０ｂ上に積層することや、上記高分子素材を表面シート１０ａ，１０ｂ上に塗布すること等が考えられ、それにより、表面シート１０ａ，１０ｂに高分子素材を付与することになる。なお、高分子素材からなるフィルムを積層する場合は、そのフィルムを表面シート１０ａ，１０ｂに貼付するために粘着剤等を用いてもよい。また、２枚の表面シート１０ａ，１０ｂの角部には、この伝言ボード１を吊り下げるための２つの穴１３が形成されている。
【００２１】
支持シート２０ａにおいては、音声情報記録／再生部３０と積層された場合に、音声情報入出力部４０、コイン電池３１、ＩＣ基板３２、スイッチ３３ａ，３３ｂ及びフィルム基板３４ａ，３４ｂに対向する領域に穴部２１が形成されている。この穴部２１は、これら音声情報入出力部４０、コイン電池３１、ＩＣ基板３２、スイッチ３３ａ，３３ｂ及びフィルム基板３４ａ，３４ｂを含む大きさとなっている。
【００２２】
支持シート２０ｂにおいては、音声情報記録／再生部３０と積層された場合に、音声情報入出力部４０に対向する領域に穴部２３が形成され、また、コイン電池３１に対向する領域に穴部２４が形成され、また、ＩＣ基板３２に対向する領域に穴部２５が形成されている。なお、支持シート２０ｂの音声情報入出力部４０と対向する領域に形成された穴部２３は音声情報入出力部４０よりも小さく、また、コイン電池３１と対向する領域に形成された穴部２４はコイン電池３１よりも大きく、ＩＣ基板３２と対向する領域に形成された穴部２５はＩＣ基板３２よりも大きくなっている。
【００２３】
このように、支持シート２０ａの、音声情報入出力部４０、コイン電池３１、ＩＣ基板３２、スイッチ３３ａ，３３ｂ及びフィルム基板３４ａ，３４ｂと対向する領域に穴部２１が形成され、また、支持シート２０ｂの、音声情報入出力部４０、コイン電池３１及びＩＣ基板３２と対向する領域に穴２３〜２５がそれぞれ形成されることにより、コイン電池３１、ＩＣ基板３２、スイッチ３３ａ，３３ｂ及び音声情報入出力部４０が設けられている領域と他の領域とで厚さの差が小さくなり、それにより、表面シート１０ａ，１０ｂの平坦性が向上し、表面シート１０ａの情報記入領域１１が、音声情報記録／再生部３０に対向する領域に設けられている場合であっても、情報記入領域１１にメッセージを記入しやすくすることができるようになる。
【００２４】
ここで、マーカーケース１５の長さが、表面シート１０ａ，１０ｂの幅よりも短くなっていることによる効果について説明する。
【００２５】
図３は、図１に示した２枚の表面シート１０ａ，１０ｂの展開図である。
【００２６】
図３に示すように、図１に示した２枚の表面シート１０ａ，１０ｂは、折り線１８を介して連接した１枚のシートから構成されており、折り線１８を介して折り畳まれることにより、２枚の表面シート１０ａ，１０ｂが構成される。また、マーカーケース１５は、２枚の表面シート１０ａ，１０ｂが延長したマーカーケース構成部１７が折り畳まれることによって構成される。
【００２７】
マーカーケース構成部１７は、折り畳まれることによって箱形状のマーカーケース１５を構成しなければならないため、マーカーケース１５の長さよりも広い幅を必要とする。そのため、マーカーケース１５の長さが表面シート１０ａ，１０ｂの幅と同一であると、表面シート１０ａ，１０ｂ及びマーカーケース構成部１７からなるシートにおいて、マーカーケース構成部１７の幅が表面シート１０ａ，１０ｂの幅よりも広くなってしまい、そのシートから表面シート１０ａ，１０ｂ及びマーカーケース構成部１７を作成した場合、無駄となる部分が多く発生してしまう。一方、本形態のように、マーカーケース１５の長さが、表面シート１０ａ，１０ｂの幅よりも短くなっていると、図３に示すように、表面シート１０ａ，１０ｂ及びマーカーケース構成部１７からなるシートにおいて、マーカーケース構成部１７の幅ａが表面シート１０ａ，１０ｂの幅ｂよりも広くならず、それにより、そのシートから表面シート１０ａ，１０ｂ及びマーカーケース構成部１７を作成した場合、無駄となる部分を少なくすることができる。
【００２８】
以下に、上記のように構成された伝言ボード１の使用方法について説明する。
【００２９】
図４は、図１及び図２に示した伝言ボード１の使用方法を説明するための図である。
【００３０】
図１及び図２に示した伝言ボード１は、図４に示すように、表面シート１０ａ，１０ｂに形成された２つの穴１３にひも９を通し、このひも９をフック（不図示）等に吊り下げる等して固定されて使用される。また、図４に示すように、切り込み１２に写真８を嵌め込むことにより、例えば、メッセージを記入あるいは音声として記録した人物を示したりすることもできる。
【００３１】
まず、音声情報の記録／再生方法について説明する。
【００３２】
伝言ボード１に音声情報を記録する場合は、表面シート１０ａに印刷された録音ボタン１４ｂを押下しながら、伝達したい音声メッセージを発声すると、発声した音声メッセージが主にスリット１６を介して入力され、入力された音声メッセージが音声情報入出力部４０を介してＩＣ基板３２のメモリ領域に記録される。この際、伝言ボード１は、上述したように、穴１３に通されたひも９をフック等に吊り下げる等して固定されているため、伝言ボード１本体の下部を手前に寄せることができ、発声した音声メッセージをスリット１６を介して入力しやすくなる。なお、発声した音声メッセージは、スリット１６以外にも表面シート１０ａを介しても入力されるが、表面シート１０ａを介して入力される音声メッセージについても、伝言ボード１本体の下部を手前に寄せることにより、音声情報入出力部４０に入力しやすくすることができる。
【００３３】
その後、表面シート１０ａに印刷された再生ボタン１４ａを押下すると、ＩＣ基板３２のメモリ領域に記録された音声メッセージが音声情報入出力部４０から主にスリット１６を介して出力される。なお、音声情報入出力部４０から出力された音声メッセージは、スリット１６以外にも表面シート１０ａを介しても出力される。
【００３４】
また、その後、表面シート１０ａに印刷された録音ボタン１４ｂを再度押下しながら、伝達したい音声メッセージを発声すると、発声した音声メッセージが主にスリット１６を介して入力され、入力された音声メッセージが音声情報入出力部４０を介してＩＣ基板３２のメモリ領域に記録され、ＩＣ基板３２のメモリ領域に記録された音声メッセージが書き換えられることになる。
【００３５】
次に、情報記入領域１１を用いたメッセージの伝達方法について説明する。
【００３６】
情報記入領域１１を用いてメッセージを伝達する場合は、例えば、アルコールを媒体とし、布やフェルト等で擦ると消去可能なインクを用いたペンによって、図４に示すように、伝達したいメッセージとなる伝言情報１１ａを情報記入領域１１に記入する。この際、情報記入領域１１を有する表面シート１０ａは、ポリプロピレン樹脂によってコーティングされているため、情報記入領域１１に付着したインクが表面シート１０ａや支持シート２０ａを浸透して音声情報記録／再生部３０に付着してしまうことはない。また、情報記入領域１１に伝言情報１１ａを記入するためのペンは、マーカーケース１５に収納しておくことができ、それにより、ペンに磁石やクリップを設けておく必要がない。また、ペンにクリップを設けてこのクリップによってペンを伝言ボード１に保持させておく場合、ペンが再生ボタン１４ａや録音ボタン１４ｂに重なる領域に保持されてしまうと、再生ボタン１４ａや録音ボタン１４ｂを操作する際にペンが邪魔になってしまうことになるが、マーカーケース１５にペンを収納しておくことにより、そのようなことがなくなる。
【００３７】
そして、情報記入領域１１に記入された伝言情報１１ａを確認した後、情報記入領域１１ａに記入された伝言情報１１ａを消去する場合、布やフェルト等で情報記入領域１１上を擦ると、情報記入領域１１を有する表面シート１０ａがポリプロピレン樹脂によってコーティングされているため、情報記入領域１１に記入された伝言情報１１ａが消去される。
【００３８】
その後、情報記入領域１１ａには、伝言情報１１ａを再度記入することができる。
【００３９】
このように、情報記入領域１１に対する伝言情報１１ａの書き換えが可能であるとともに、音声情報が記録、再生される音声情報記録／再生部３０が音声情報の記録、再生が繰り返し可能であるため、情報記入領域１１に記入されたメッセージとともに音声によってメッセージを繰り返し伝達することができる。
【００４０】
（第２の実施の形態）
図５は、本発明の伝言ボードの第２の実施の形態を示す図であり、（ａ）は外観斜視図、（ｂ）は内部構造を示す図、（ｃ）は裏面から見た図、（ｄ）は（ａ）に示したＡ−Ａ’断面図である。
【００４１】
本形態は図５に示すように、第１の実施の形態に示したものに対して、情報記入領域１１１が、音声情報記録／再生部１３０が支持シート１２０ａ，１２０ｂ及び表面シート１１０ａ，１１０ｂに挟み込まれてなる第２のシート部である固定板１０３に装着された第１のシート部である分離板１０２に設けられている点が異なるものである。
【００４２】
固定板１０３は、表面シート１１０ａが表出した面において、固定板１０３及び分離板１０２にそれぞれ付与された面ファスナー１０４によって分離板１０２を着脱可能としている。また、表面シート１１０ａ，１１０ｂは、第１の実施の形態に示したものと同様に、その全面がポリプロピレン樹脂によってコーティングされており、また、分離板１０２の情報記入領域１１１が設けられた面の全面も、ポリプロピレン樹脂によってコーティングされている。
【００４３】
以下に、上記のように構成された伝言ボード１０１の使用方法について説明する。
【００４４】
図６は、図５に示した伝言ボード１０１の使用方法を説明するための図である。
【００４５】
図５に示した伝言ボード１０１に対して情報記入領域１１１に伝言情報１１１ａを記入する方法と、音声情報記録／再生部１３０に対して音声メッセージを記録、再生、消去する方法は、第１の実施の形態に示したものと同様である。
【００４６】
本形態においては、情報記入領域１１１が分離板１０２に設けられ、この分離板１０２が、音声情報記録／再生部１３０が支持シート１２０ａ，１２０ｂ及び表面シート１１０ａ，１１０ｂに挟み込まれてなる固定板１０３から離脱可能となっている。そのため、面ファスナー１０４を剥がすことにより分離板１０２を固定板１０３から離脱させれば、例えば、情報記入領域１１１に記入された伝言情報１１１ａをメモとして書き写すことなく、伝言ボード１０１が設置された場所以外において、伝言情報１１１ａを確認することができる。
【００４７】
（第３の実施の形態）
図７は、本発明の伝言ボードの第３の実施の形態を示す図であり、（ａ）は外観斜視図、（ｂ）は内部構造を示す図、（ｃ）は裏面から見た図、（ｄ）は（ａ）に示したＡ−Ａ’断面図である。
【００４８】
本形態は図７に示すように、第１の実施の形態に示したものに対して、伝言ボード２０１本体となる第２のシート部である固定板２０３には、音声情報記録／再生部２３０が内蔵されておらず、固定板２０３に着脱可能に構成された第１のシート部となる分離板２０２に、音声情報記録／再生部２３０が内蔵されているとともに、情報記入領域２１１が設けられている点が異なるものである。また、固定板２０３にはスリットが形成されていない。
【００４９】
固定板２０３は、一方の面において、固定板２０３及び分離板２０２にそれぞれ付与された面ファスナー２０４によって分離板２０２を着脱可能としている。また、固定板２０３は、その全面がポリプロピレン樹脂によってコーティングされている。
【００５０】
分離板２０２は、音声情報記録／再生部２３０が支持シート２２０ａ，２２０ｂ及び表面シート２１０ａ，２１０ｂに挟み込まれて構成されており、表面シート２１０ａ，２１０ｂは、第１の実施の形態に示したものと同様に、その全面がポリプロピレン樹脂によってコーティングされている。また、分離板２０２の表面シート２１０ｂには、第１及び第２の実施の形態に示したものと同様にスリット（不図示）が形成されている。
【００５１】
以下に、上記のように構成された伝言ボード２０１の使用方法について説明する。
【００５２】
図８は、図７に示した伝言ボード２０１の使用方法を説明するための図である。
【００５３】
図７に示した伝言ボード２０１に対して情報記入領域２１１に伝言情報２１１ａを記入する方法と、音声情報記録／再生部２３０に対して音声メッセージを記録する方法は、第１の実施の形態に示したものと同様である。
【００５４】
本形態においては、分離板２０２に、情報記入領域２１１が設けられるとともに音声情報記録／再生部２３０が内蔵されており、この分離板２０２が固定板２０３から離脱可能となっている。そのため、面ファスナー２０４を剥がすことにより分離板２０２を固定板２０３から離脱させれば、例えば、情報記入領域２１１に記入された伝言情報２１１ａをメモとして書き写すことなく、伝言ボード２０１が設置された場所以外において、伝言情報２１１ａを確認することができ、また、音声情報記録／再生部２３０に記録された音声メッセージを、伝言ボード２０１が設置された場所以外において確認することができる。
【００５５】
なお、本形態においては、固定板２０３にはスリットが形成されていないが、分離板２０２が固定板２０３に装着された際に、分離板２０２が固定板２０３に密着するようなものとなる場合は、分離板２０２が固定板２０３に装着された状態で音声情報を記録したり音声情報を出力したりする際、音声情報記録／再生部２３０に入力される音声情報の大きさが小さくなってしまったり、音声情報記録／再生部２３０から出力された音声情報が聞こえにくくなってしまったりすることを回避するために、固定板２０３にスリットを形成しておくことが好ましい。
【００５６】
また、上述した２つの実施の形態においては、分離板１０２，２０２を固定板１０３，２０３に着脱可能とするために面ファスナー１０４，２０４を用いたが、分離板１０２，２０２を固定板１０３，２０３に着脱可能とするための構成はこれに限らず、剥離後の再接着が可能な再接着性粘着剤を用いることや、固定板１０３，２０３に分離板１０２，２０２を差し込み可能なスロット部を設けてこのスロット部に分離板１０２，２０２を抜き差しすることにより分離板１０２，２０２を固定板１０３，２０３に着脱可能とすること等が考えられる。
【００５７】
また、本発明にて用いられる高分子素材としては、インクが浸透しにくい素材であればその種類を問わずに適用することができる。上述した実施の形態にて示したように樹脂材を用いれば、ある程度の膜厚を得ることができ、それにより、インクの非浸透性を向上させることができるが、樹脂材の他、インク浸透性の低い顔料ならいかなるものも適用することができる。
【００５８】
また、部分塗布や部分貼付をすることはできないが、表面シートとなる基材として、事前に顔料や樹脂素材が付与されている合成紙、アート紙、コート紙、マットコート紙を使用してもよい。この場合、最初からインク浸透性の低い高分子素材が付与されているため、ある程度はインクの浸透を防ぐことができる。
【図面の簡単な説明】
【００５９】
【図１】本発明の伝言ボードの第１の実施の形態を示す図であり、（ａ）は外観斜視図、（ｂ）は内部構造を示す図、（ｃ）は裏面から見た図、（ｄ）は（ａ）に示したＡ−Ａ’断面図である。
【図２】図１に示した伝言ボードのうち音声情報記録／再生部が内蔵された領域の積層状態を示す図である。
【図３】図１に示した２枚の表面シートの展開図である。
【図４】図１及び図２に示した伝言ボードの使用方法を説明するための図である。
【図５】本発明の伝言ボードの第２の実施の形態を示す図であり、（ａ）は外観斜視図、（ｂ）は内部構造を示す図、（ｃ）は裏面から見た図、（ｄ）は（ａ）に示したＡ−Ａ’断面図である。
【図６】図５に示した伝言ボードの使用方法を説明するための図である。
【図７】本発明の伝言ボードの第３の実施の形態を示す図であり、（ａ）は外観斜視図、（ｂ）は内部構造を示す図、（ｃ）は裏面から見た図、（ｄ）は（ａ）に示したＡ−Ａ’断面図である。
【図８】図７に示した伝言ボードの使用方法を説明するための図である。
【符号の説明】
【００６０】
１，１０１，２０１    伝言ボード
８，１０８，２０８    写真
９，１０９，２０９    ひも
１０ａ，１０ｂ，１１０ａ，１１０ｂ，２１０ａ，２１０ｂ    表面シート
１１，１１１，２１１    情報記入領域
１１ａ，１１１ａ，２１１ａ    伝言情報
１２，１１２，２１２    切り込み
１３，１１３，２１３    穴
１４ａ，１１４ａ，２１４ａ    再生ボタン
１４ａ，１１４ｂ，２１４ｂ    録音ボタン
１５，１１５，２１５    マーカーケース
１６，１１６    スリット
１７    マーカーケース構成部
１８    折り線
２０ａ，２０ｂ，１２０ａ，１２０ｂ，２２０ａ，２２０ｂ    支持シート
２１，２３〜２５    穴部
３０，１３０，２３０    音声情報記録／再生部
３１，１３１，２３１    コイン電池
３２，１３２，２３２    ＩＣ基板
３３ａ，３３ｂ，１３３ａ，１３３ｂ，２３３ａ，２３３ｂ    スイッチ
３４ａ，３４ｂ，１３４ａ，１３４ｂ，２３４ａ，２３４ｂ    フィルム基板
４０，１４０，２４０    音声情報入出力部
４１，１４１，２４１    ピエゾ素子
４２，１４２，２４２    振動板
１０２，２０２    分離板
１０３，２０３    固定板
１０４，２０４    面ファスナー
【図１】
2010036445.tif 000003
【図２】
2010036445.tif 000004
【図３】
2010036445.tif 000005
【図４】
2010036445.tif 000006
【図５】
2010036445.tif 000007
【図６】
2010036445.tif 000008
【図７】
2010036445.tif 000009
【図８】
2010036445.tif 000010